Podtech/llm-jp-corpus-v4-ja_patent huggingface dataset:
(57)【要約】【課題】自動車のアクセルペタルとブレーキペタルの踏み間違いによる不測の急発進、急加速を予防、防止すること【解決手段】アクセルペタルとブレーキペタルそれぞれのペタルに、接触スイッチ又はセンサーを装置し、ペタルに足が触れたとき、叉は乗せたとき、その事実を有線叉は無線或いは赤外線等の光線で発信させ、ダッシュボード等に設置した点灯装置にその信号を受信させ、運転者に視認による認識又は確認をうながし、ペタルの踏み間違い、誤操作を事前に予防、防止することにある。【選択図】図１
2012121536.tif 000002
【特許請求の範囲】
【請求項１】
アクセルペタルとブレーキペタルにそれぞれ足を触れた場合、又は乗せたとき、それぞれ触れ、又は乗せた事実をダッシュボード、或いはメーターパネルに点灯装置を介して、運転者に認識又は確認させるための、ペタル操作表示装置機構
【請求項２】
そのための点灯装置は電球または発光ダイオード等の発光物とし、アクセルペタルに足を触れた場合、又は乗せたとき、青色又は緑色、そのほかの信号色の認識灯が、ブレーキペタルに足が触れた場合、又は乗せたとき、赤色又は橙色の信号色の認識灯が点灯するものとする。
【請求項３】
アクセル系、ブレーキ系共に当該ペタルに足が触れている間、又は乗せている間は、信号色の認識灯は点灯を持続し、運転者にその操作を認識させることができるものとする。
【請求項４】
アクセルペタル又はブレーキペタルに足が触れた場合，叉は乗せたとき、有線又は無線あるいは赤外線等の光線で、点灯装置にその事実が送信されるようにする。
【請求項５】
点灯装置を経て認識灯への信号送信はアクセルペタル又はブレーキペタルに装着、又は組み込まれた機械的スイッチ類、或いは圧電素子等のスイッチ又はセンサー等による感応発信装置により発信する。
【請求項６】
点灯装置には［請求項５］の信号送信を受信するセンサー等の感応受信装置を装着あるいは電線で連繋する。
【発明の詳細な説明】
【発明の詳細な説明】
【技術分野】
【０００１】自動車制御装置。自動車の不測の急発進、急加速を予防、防止するペタル操作表示装置。
【発明が解決しようとする課題】
【０００２】アクセルペタルとブレーキペタルの踏み間違いがあっても視認できず、誤認、勘違いのまま踏み込み操作を実行し、不測の急発進、急加速をして、事故になることを防ぐこと。
【課題を解決するための手段】
【０００３】アクセルペタルとブレーキペタルそれぞれのペタルに、接触スイッチ又はセンサー等の感応発信装置を装着し、ペタルに足が触れたとき、又は乗せたとき、その事実を有線又は無線或いは赤外線等の光線で発信させ、ダッシュボード等に設置した点灯装置にその信号を受信させ、運転者に視認による認識又は確認をうながし、ペタルの踏み間違い、誤操作を事前に予防、防止することにある。
【発明を実施するための形態】
【０００４】アクセルペタル又はブレーキペタルに足が触れた場合、又は乗せたとき、ペタルに装着したスイッチ又はセンサーが作動、ダッシュボード等に設置装着した点灯装置に発信、それを受信した点灯装置の認識灯を、運転者に視認させ、又は運転者が求めるペタルの認識灯であるかどうか、視認することで、動作前にアクセルペタルかブレーキペタルかを認識、確認ができ、誤動作を予防、防止させる。
【実施例】
【０００５】アクセルペタルとブレーキペタルには、点灯装置へ信号送信のため、図１の構造の装置をそれぞれペタルに装着する。ゴムカバー（１）、導電板（２）、絶縁板（３）、金属製のペタル（４）からなる構造で、足がペタルに触れた場合、叉は乗せたとき、ゴムカバー（１）導電板（２）が圧され、ゴム或いは弾力ある合成樹脂製の絶縁板（３）を圧縮、導電板（２）に設けた一定数の突起部が、この突起部に合わせた絶縁板（３）の穴より貫通し、金属性のペタル本体（４）に接して、導電板と点灯装置間に結ばれた導線（５）に通電し、点灯装置が稼動する。点灯装置（８）はダッシュボード、或いはメーター盤等に設置し、アクセルペタル操作時は、点灯装置（８）に青叉は緑色の認識灯（９）を、ブレーキペタル操作時は、灯火装置（８）に赤叉は橙色或いはその他の認識灯（１０）を専用回路で線結された点灯装置の、それぞれの認識灯に発信される。これにより、アクセルペタル（１１）叉はブレーキペタル（１２）のどちらに足が触れたか、乗せたかが、視認でき、自動車の発進操作前に認識、確認ができる。
【発明の効果】
【０００６】ダッシュボード等に点灯装置を設置することにより、アクセルペタル、ブレーキペタルのどちらに足を乗せているかの視認、確認ができ、自動車のアクセルと、ブレーキの踏み間違いによる急発進、誤発進の予防、防止が計られ、より安全な運転操作が行える。
【図面の簡単な説明】
【０００７】
【図１】ペタル構造の縦断面図である。
【図２】ペタルの分解斜視面図である。
【図３】表示装置機構の電気回路図である。
【符号の説明】
【０００８】１  ゴムカバー
２  導電板
３  絶縁板
４  金属製ペタル
５  導線
６  導電板突起
７  導電板突起に合わせた絶縁板の貫通穴
８  点灯装置
９  青色叉は緑色、そのほかの認識灯
１０  赤色叉は橙色の認識灯
１１  感応発信装置を装着したアクセルペタル
１２  感応発信装置を装着したブレーキペタル
１３  電源（バッテリー叉はシガーソケットより給電する）
【図１】
2012121536.tif 000003
【図２】
2012121536.tif 000004
【図３】
2012121536.tif 000005
(57)【要約】      （修正有）【課題】世界中あらゆる所で発電可能な浮揚式発電装置を提供する。【解決手段】ワイヤーなどで固定された、水集め機を備えた船舶を使用し、水当たり部分を有する水車により発電機を回転させる。例えば川などは水面の上下、水流の強弱、水流の方向などが変化しやすいが、この浮揚式発電装置によれば安定した電力・発電をあらゆる所で可能にし、二酸化炭素などを無くし、温暖化防止・鉄塔・送電線を少なくすることに寄与することができる。【選択図】図１
2012121540.tif 000002
【特許請求の範囲】
【請求項１】
水などの流れている所（流れを作ってもよい）にその流れを利用し回転を作って利用して発電装置を設置して発電を行う船舶等を使った浮揚式発電装置である。
【発明の詳細な説明】
【技術分野】
【０００１】  例えば川などは水面の上下、水流の強弱、水流の方向などが変化しやすいが船舶などを使い又水車のウデ、水当部分・水車自体などを自在に上下伸縮させることに依り安定した電力・発電をあらゆる所で可能にするものである。
【背景技術】
【０００２】  世界中あらゆる（いたる）所で発電可能（川などはどこにでもある）
【発明の概要】
【発明が解決しようとする課題】  川の水のあらゆる変化にほとんど対応可能。
【課題を解決するための手段】  船舶等を用いる
【発明の効果】  二酸化炭素などを無くし、温暖化防止・鉄塔・送電線を少なくする。
【図面の簡単な説明】
【図１】１船式発電装置  水集め機・水当り部分・ウデ部分各伸縮自在又各数もその場に合わせて自在にする。
【発明を実施するための形態】
流れの有る所又流れを作れる所で水車様のものを使用
【産業上の利用可能性】  世界中あらゆる所で利用可能
【図１】
2012121540.tif 000003
(57)【要約】【課題】  既存のオートマテック車の右足による誤動作を皆無にする為、左足専用ブレーキの実用化と、普及を加速させ、右足ブレーキの固定観念を根本から見直し、世界共通の規格化が急務である。【解決手段】運転初心者は初めから左足でブレーキ操作を訓練させれば良く、また右足に慣れた運転者に対しては、左足ブレーキの効能を理解させ、本発明の左足ブレーキ用運転シュミレーターの開発と実用化を機会に、公共機関や車両関係者の安全教育にも役立てることが望ましい。【選択図】図１
2012121535.tif 000002
【特許請求の範囲】
【請求項１】
オートマティック車のブレーキペダルを左足専用として艤装し右足操作による、誤動作の回避を目的とした、運転教習装置を商品化してはならない。
【請求項２】
（イ）既製の運転練習装置に左足ブレーキ用ペダルを、オプションとして取り付けできる、ブレーキペダルを製造し販売してはならない。
（ロ）図１に示す左足ブレーキ用運転シュミレーターは、オートマティック車の既存ブレーキペダルを、左足側に延長し左足が載せやすく、かつペダルの右端に凸形のすべり止めを設けてアクセルの誤動作を防いでいる。また、アクセル及びブレーキと連動して点滅する視認ランプの取り付けや、ディスプレイの映像画面に、ブレーキ操作の適正能力の判別も自動表示するソフトを組み込んではならない。
【発明の詳細な説明】
【技術分野】
【０００１】既製のオートマティック車は右足による誤動作から急発進や衝突事故が発生している。ブレーキペダルの形状及び位置を変え、誤動作を回避できる左足ブレーキ用運転シュミレーターを開発した。
【背景技術】
【０００２】既製のオートマティック車はアクセルとブレーキのペダルが近接しかつ、目視できずに感と馴れを前提に右足で踏み分けており、過去  約７，０００件の誤動作事故を引き起こしている。
現代のオートマティク車は発進と制動を右足のみに頼る単純化を優先し、誤動作回避の安全性を犠牲にしていると言っても過言ではない。本発明は左足ブレーキへの発想転換と、短期間で習熟できる為の運転練習用装置である。運転初心者やオートマティク車に馴染だ方々が、左足操作に違和感や不安を抱かずにスムーズに導入可能な教材とし、運転試験場・運転教習場・ゲームセンター・車両販売社・運送業者や車両メーカーなど潜在需要先は多岐に亘る。
【発明の概要】
【発明が解決しようとする課題】
【０００３】  既製のオートマティック車は次のような欠点がある。
１）発進と制動は右足のみの踏み分け操作で、ペダルの相対位置が近接し、制動時にペダル位置は目視できずに感で咄嗟に踏み込むため、アクセルの誤動作を事前に分別できない。
そのため悲しい事故が多発している、左足でブレーキペダルを操作する訓練をする事によって、自信と共に安全意識が高まり、誤動作要因を排除できる。
２）ゴーカート、レーサー、フォークリフト、ショベルカーなど、既に左足ブレーキは特定分野で使用されているが、現在の市販されているオートマティック車には未だ実用化されていない。
３）左足ブレーキの効果と普及は、短時間に慣れることと、左足がスムーズに確実にペダルに載せられるなど、オペレーターが違和感無く安心して実用化できることが最大のポイントである。
【課題を解決するための手段】
【０００４】１）ブレーキペダルの形状及び位置を左足用に、左側に延長する、又左足がフットレスト位置からブレーキペダルに素早く移行でき、かつ、インチングなどの頻繁な操作にも楽に踏み込めるように緩やかな勾配を付ける。
２）運転シュミレーターはアクセルとブレーキの操作機能を瞬時に把握可能とするため、連動ランプを点滅させて目視で確認可能とさせる。
３）左足ブレーキは量産新車も当然ターゲットであるが、市販済既製車両への応用を促進するためにも、短時間で習熟できる装置が必要である。【０００５】１）アクセルは右足専用のまま、ブレーキは左足使用が簡単にできる機能であることと人間工学的にも単純な思考を生かし、誤動作を皆無に出来る合理的な発明である。
２）左足ブレーキ用運転シュミレーターを設置し教習を受け、短時間に慣れる事により、制動のタイミングや安全意識が高まり、事故の抑制に即効性が有る。
【図面の簡単な説明】
【０００６】
【図１】左足ブレーキ用運転シュミレーター
【発明を実施するための形態】
【０００７】（イ）在来の運転模擬装置には、左足用ブレーキペダルをオプションとして追加取り付けをする。
（ロ）左足ブレーキ用運転シュミレーターの特徴は、アクセルとブレーキの動作が映像及び点灯ランプと連動して目視確認が可能である。練習者の適正能力の判別も自動表示させる。
【符号の説明】
【０００８】▲１▼左足専用ブレーキペダルでペダル右端は滑り止め突起付
▲２▼在来車のブレーキペダル
▲３▼アクセルペダル
▲４▼フットレフト
▲５▼制動点灯ランプ
▲６▼アクセル始動ランプ
▲７▼信号標識ランプ
▲８▼運転適正能力  判別表示
▲９▼運転シュミレーション  映像ディスプレイ
▲１０▼運転制御装置
【図１】
2012121535.tif 000003
(57)【要約】      （修正有）【課題】列車等の無人踏切において、耳の不自由な人や目の不自由な人、又はイヤホンを付けた人が踏み切り事故に遭うことを防止し、また、人里離れた無人踏切でも作動する電力源を備えた安全装置を提供する。【解決手段】電力源には太陽光発電パネル１を利用し、夜間の電力使用に対応する為に電気を蓄える蓄電池２を設け、列車の接近を知らせる近接光電スイツチ３ａ，３ｂ、それに付随して危険をしらせる赤色ランプ５、および警報スピ―カ―６、これらを制御する電気回路を組み込んだ制御盤４を備える。【選択図】図１
2012121569.tif 000002
【特許請求の範囲】
【請求項１】
無人踏切の安全装置において、電力源に太陽光発電パネルを利用し、付随器具として光電センサ―，及び赤色灯、警報スピ―カ―等を１つのユニツトとした形態でまとめたことを特徴とした無人踏切の安全装置。
【発明の詳細な説明】
【技術分野】
【０００１】本発明は汽車、電車等の無人踏切に於ける事故防止を図る安全装置に関する。
【背景技術】
【０００２】従来の各線路には小さな踏切が多くそのほとんどは遮断機も無く、また警報装置もない無人踏切である。【０００３】以下図３により従来の無人踏切について説明する。
図において、ａはレールで列車は左右から通過してくる、中央には人や車が通る踏切があり、その左右には「ふみきり注意」及び止れの▽の標識、その他×印の「とまれみよ」等の標識が立てられている。【０００４】因みにｂはとまれの標識、ｃはとまれみよの標識、ｄはカーブミラーを示す。
【発明の開示】
【発明が解決しようとする課題】
【０００５】以上のように従来の無人踏切では目視による注意を促す標識の為、耳の不自由な人やイヤホン等を付けて踏み切りを渡る人が死亡するという事故が起こりＪＲや私鉄との間で裁判になる事態あった、また遮断機を取り付けるにしても人里離れた場所では容易に電力源がなく費用面からも無人化が続いていたのが実情である。【０００６】本発明は、このような従来の課題を有していた問題を解決しようとするもので、安価に、目の不自由な人も耳が不自由な人も、耳にイヤホンをつけている人にも容易に安全確認ができる事を目的とするものである。
【課題を解決するための手段】
【０００７】本発明は、上記目的を達成するために電源は太陽光発電パネルを設けて発電し、それを蓄える蓄電池、列車等の接近を知らせるセンサー部と、センサ―の信号に応答して赤色ランプ、及び警報スピーカ―を作動させる制御盤をそなえたものである。【０００８】また、人里離れて電源の確保が困難な場所於いて、列車等の通過頻度が多い場所では太陽光発電パネルの取り付け枚数を増設して対応し又夜間の電力使用頻度が高い場合は蓄電池（バツテリー）の数量を増やして対応することができる構成としたものである。
【発明の効果】
【０００９】上記のように本発明の太陽光発電パネル利用無人踏切安全装置は目、耳、等不自由な人の人身事故を未然に防止することが出来る安価で尚且つどこにでも容易に取り付ける事ができるものである。
【発明の実施するための最良の形態】
【００１０】以下本発明の実施形態を図１に基ずいて説明する、
図において１は太陽光を取り入れる太陽光発電パネルで、２の蓄電池室の蓄電池に蓄えられる３ａ３ｂはセンサ―部で列車等の接近を感知してその信号を４の制御盤内の電気回路に指令すると５の赤色灯が回転し同時に６の警報スピーカ―から注意の警報を鳴らし踏み切りを通過しようとする者に危険を知らせるものである。
【００１１】１の太陽光発電パネルは既存のメ―カー品を使用することができる、夜間使用電力量をまかなう容量を確保できる設計値を上回る枚数を取り付けること。
【００１２】２の蓄電池室には１の太陽光発電パネルにて発電した直流電気を夜間使用電力量を満たすだけの蓄電容量の蓄電池個数を内蔵する。。
【００１３】３ａ３ｂのセンサ―部は列車の接近方向に向けて取り付ける、部品の選定は１例として反射形光電センサ―を列車接近方向に取り付け光電を列車が遮ることで信号を出すタイプとする。
【００１４】４の制御盤は太陽光発電パネルにて発電された電気を蓄電池に流す回路、及びセンサ―により受けた信号を放電に切り替えて赤色ランプおよび警報スピ―カ―を作動させる回路が組み込まれている。
【００１５】以上の構成部品は７の支柱に１つのユ二ットとして各踏切に設置するものであり、単線レール、複線レールでは夫々取り付け台数が異なる。
【図面の簡単な説明】
【００１６】
【図１】本発明の実施形態を示す太陽光利用の無人踏切安全装置正面図
【図２】同上の右側面図
【図３】従来の無人踏切の概念図
【符号の説明】
【００１７】１      太陽光発電パネル
２      蓄電池室
３ａ３ｂ  光電センサ―
４      制御盤
５      赤色灯
６      警報スピ―カ―
７      支柱
【図１】
2012121569.tif 000003
【図２】
2012121569.tif 000004
【図３】
2012121569.tif 000005
(57)【要約】【課題】左利きが通常の罫線を有する用紙に文字を書く場合、書いた文字の上を左手部分にて紙面上をこすって動くことになり、書かれた文字を汚す。また、直前に書いた文字と手が重なり、文字が読めなくなることから、文章を構成する上で書いた文字を読むために頻繁に手を外さねばならない。このことから左利きの人が用紙や手を汚すことなく、自然な姿勢で筆記することが出来る筆記用原紙を提供する。【解決手段】従来の水平罫線に、３０度の右下がり罫線を加えた用紙を製作する。【選択図】図１
2012121140.tif 000002
【特許請求の範囲】
【請求項１】
筆記用の罫線を有する筆記用紙において、用紙に対して、略２５度から略３５度の右下がり罫線を有したことを特徴とする用紙。
【請求項２】
請求項１記載の用紙において、右下がり罫線が用紙に対して、略３０度であることを特徴とした用紙。
【請求項３】
請求項１及び２記載の用紙において、用紙に対して平行な水平罫線を有したことを特徴とする用紙。
【請求項４】
用紙ホルダーに設けられた綴じ金具に着脱自在に綴じられたルーズリーフ用紙が、請求項１から請求項３記載の用紙である事を特徴としたルーズリーフ用紙。
【請求項５】
複数のレポート用紙を綴じて構成されるレポート帳であって、前記複数のレポート用紙が、請求項１から請求項３記載の用紙であることを特徴とするレポート帳。
【請求項６】
複数のレポート用紙を綴じて構成されるノートであって、前記複数のレポート用紙が、請求項１から請求項３記載の用紙であることを特徴とするノート。
【請求項７】
複数の用紙を綴じて構成される手帳であって、前記複数の用紙が、請求項１から請求項３記載の用紙であることを特徴とする手帳。
【発明の詳細な説明】
【技術分野】
【０００１】
本発明は、主としてノート用原紙等の筆記用原紙や書籍用の原紙等に好適に適用される用紙に関するものである。
【背景技術】
【０００２】
従来、手書きのメモを用紙に書く場合、用紙には、平行な水平罫線、及び場合によっては正方形  模様等の格子模様を形成するよう垂直な平行罫線が設けられていた。
【先行技術文献】
【特許文献】
【０００３】
【特許文献１】特開２００３−２９１５６４号公報（段落０００４〜０００６）
【非特許文献】
【０００４】
【非特許文献１】実開平７−３５０６４号公報（段落００１３）
【発明の概要】
【発明が解決しようとする課題】
【０００５】
しかしながら、左利きがこの平行罫線に対して、左から右方向に文字等を書こうとした場合、書いた文字の上を左手部分にて紙面上をこすって動くことになり、書かれた文字を汚す、手を汚す事が度々あった。また、直前に書いた文字と手が重なり、文字が読めなくなることから、文章を構成する上で書いた文字を読むために頻繁に手を外さねばならなかった。そこで、用紙を斜めに配置する、姿勢を変える等、各人が工夫をしていた。しかしながら特に学校、塾等の机の上では、他の教科書等は平行においてある所に、用紙（ノート）のみ斜めに配置する事等、机上の配置上・スペース上、好ましくはなかった。
【課題を解決するための手段】
【０００６】
本発明は、以上のような問題に鑑みて、左利き用・右利き用の用紙・ノート・手帳等を提供するもので、筆記用の罫線を有する筆記用紙に対して平行な水平罫線と、当該水平罫線に対して、略25度から略35度の右下がり罫線を有し、望ましくは30度の右下がり罫線を有したことを特徴とする用紙、及び当該用紙を用いたルーズリーフ・レポート帳・ノート・手帳等を提供するものである。
【発明の効果】
【０００７】
ワープロやパソコンが普及したからといって、文字を手書きすることが不要になることはあり得ない。特に学校等での授業の際、生徒・学生にとって、ノートへの筆記は全教科において不可欠である。左利きの生徒・学生にとって、ノート自身・手が綺麗な状態で文字が書ける様になれば、副次的に学習効果が高まる事が期待できる。
【図面の簡単な説明】
【０００８】
【図１】図１は本発明にかかる水平罫線および右下がり罫線を有する筆記用紙の表面図である。
【図２】図２は本発明の実施例である。
【発明を実施するための形態】
【０００９】
すなわち、本発明の用紙は、筆記用の罫線を有する筆記用紙において、用紙に対して平行な水平罫線と、当該水平罫線に対して、略25度から略35度の右下がり罫線を有し、望ましくは略30度の右下がり罫線を有したことを特徴とする用紙であり、右利き用にも左利き用にも対応できるものであり、又、略25度から略35度の右下がり罫線を有し、望ましくは略30度の右下がり罫線のみを有した用紙とすれば、左利き専用の用紙ともなりえる。更に用紙ホルダーに設けられた綴じ金具に着脱自在に綴じられたルーズリーフ用紙が、請求項１から請求項３記載の用紙であることを特徴としたルーズリーフ用紙としたり、更に複数のレポート用紙を綴じて構成されるレポート帳であって、前記複数のレポート用紙が、請求項１から請求項３記載の用紙であることを特徴とするレポート帳としたり、更に複数のレポート用紙を綴じて構成されるノートであって、前記複数のレポート用紙が、請求項１から請求項３記載の用紙であることを特徴とするノートとしても提供する事ができる。
【００１０】
右下がり罫線を有する筆記用紙を用い、罫線に沿って左利きが自然な姿勢で筆記を行うと、左手は筆記する文字の下を通って動くことになる。このことにより、書かれた文字を汚す、手を汚す事を防止する。また、ペンと左手の隙間より直前に筆記した文字が見えるため、文章の構成を考えるために左手を外し、文章を読む必要がなくなる。この結果、これまで上記のことを行うために行っていた不自然な姿勢をとる必要がなくなり、首および手首に負担がかからなくなる。
【実施例１】
【００１１】
本発明を左利きの被験者２人、右利きの被験者２人に対して、以下のようにして試験を行なった。
【００１２】
図２は８００文字からなる文章を提示し、３０度の右下がり罫線を有するＢ５サイズの筆記用紙へと書き写す行為を行った結果である。
【００１３】
左利き、右利きの被験者とも自然な姿勢で筆記を行い、左利きにおいてはこれまでの筆記に比べ疲労が軽減されたとの回答を得た。右利きにおいては通常の筆記と変わらないとの回答を得た。
【００１４】
左利きの被験者は文字が確認できるため、これまでの筆記に比べ連続した作業が行え、作業が行いやすかったとの回答を得た。右利きにおいては通常の筆記と変わらないとの回答を得た。
【符号の説明】
【００１５】
１    用紙
２    水平罫線
３    右下がり罫線
【図１】
2012121140.tif 000003
【図２】
2012121140.tif 000004
(57)【要約】【課題】本発明の課題は、公害の元となる、CO2、を排出する火力発電所、焼却炉、自動車から放出されるこのCO2を除去することが課題である。排出するCO2の吸収剤としてアミン化合物を用い、接触反応させることによりCO2を除去することができる。すでに大気中に放出されているCO2も道路や隧道に本発明の吸収剤コーテイングしたビーズを置くことによって除去することができる。また、CO2を吸着したものの有効利用も課題である。【解決手段】この発明はアミン化合物をビーズ状にするかビーズ状物にコーティングし、CO2を含むガスと接触させることによってガス中のCO2を吸収除去する。本品がビーズ状であるとガスの通りが良く、CO2とアミンとの接触の機会が多く、よく反応除去が可能となる。CO2を吸収したアミン化合物はアルカリ溶液で溶離出来、さらにアルカリ性になった溶離液は酸性のリン酸溶液で中和することによって肥料に利用できる。            【選択図】    なし【特許請求の範囲】
【請求項１】
ビーズにコーティングしたアミン化合物によって大気中に排出される排ガス中のCO2及びすでに排出された大気中のCO2を除去する方法
【発明の詳細な説明】
【技術分野】
【０００１】
本発明は、排ガス中や大気中のCO2を吸収剤によって削減する方法である。
本法は火力発電所の煙突、焼却炉、自動車から出る排気ガスに含まれるCO2をアミン化合物の吸収剤で吸収する方法である。また、すでに空気中に放出されたCO2も道路脇、隧道でも効力を発揮できる。吸収剤にアミン化合物を使い、ビーズ状にしてガスの通りを良くするとCO2とアミンの接触の機会が多くなり、ビーズ状にした担体にコーティングしたアミン化合物によりCO2の吸収量も多くなる。また、アミン化合物とCO2は反応してカルボン酸となるのでアルカリ溶液で溶離できる。溶離用アルカリとしてカリウム溶液を使用し、溶離した液の中和にリン酸を使用します。そうするとこの溶離液には窒素、リン酸、カリが含まれることになるので植物の肥料として利用できる。CO2を空気中に再放出するようなことはない。又、NO2やSO2などの光科学スモッグの原因物も同時に吸収除去することが可能である。担体としては水に不溶のガラス、セラミックス、プラスチックスを用いる。又、水に可溶なものでも使用出来る。
アミン化合物としてエチレンジアミンを用いるとCO2吸収後はエチレンジアミン4酢酸が出来る。つまり、1分子のエチレンジアミンで4分子のCO2を吸収する。またこれは、分析化学にも応用出来る。
【先行技術文献】
【特許文献】
【０００２】
なし
【非特許文献】
【０００３】
なし
【発明の概要】
【発明が解決しようとする課題】
【０００４】
火力発電所、焼却炉、自動車から出る排ガス中にはCO2が含まれている。地球温暖化の原因物質の一つと言われるCO2の大気中への放出量削減することが課題である。
【課題を解決するための手段】
【０００５】
本発明は、CO2のCとOの間にある二重結合の反応性を利用したものである。このC O間結合の反応性と吸収剤のアミン化合物との反応でーNCOOHというカルボン酸が出来る。アミン化合物の吸収剤をビーズにコーテイングして使用する。ビーズ状であれば吸入された排ガスは容易にビーズの間を通ることが出来、排ガスの処理量は液体だけの層に比べ格段に多くなる。
CO2を吸着したアミン系化合物のコーティング剤はカリウム溶液で溶離させることが出来る。溶離液にはアミンの窒素とカリウム及び、その中和に用いたリン酸を含むので植物栽培の肥料として用いることが出来る。CO2を大気中に放出するようなことはない。
【発明の効果】
【０００６】
本発明は、地球温暖化の原因と言われるCO2の大気中への放出量を減らすことが出来る。また、すでに大気中にあるこれらの物を減らすことも出来る有効な効果を発揮できる。またCO2を吸収したアミン化合物は肥料として利用出来る。又、光化学スモッグの原因物NO2,SO2も同時に除去出来る。  
【産業上の利用可能性】
【０００７】
火力発電所、焼却炉、自動車から放出される排ガスは多い。その中にCO2が含まれている。これが温室効果の原因の一因となっている。この量を減らすことが出来れば地球温暖化をいくらかでも防ぐことが出来る。また、吸収されたCO2含有化合物は弱酸性になっている。それで、アルカリ溶液、主にカリウム溶液で溶離させることが出来る。アルカリ性を強めにすると溶離が容易である。このアルカリ性になった溶離液を中和するのに酸性のリン酸溶液を使用する。そうすると、窒素、リン酸、カリウムを含む肥料として利用することが出来る。CO2を空気中に再放出するようなことはない。又、担体として使用した水に不溶のビーズは溶離後再利用が可能である。担体用ビーズにはガラス、セラミックス、プラスチックスが使用出来る。水に可溶の担体を用いたときは再利用出来ない。
(57)【要約】【課題】通常履く靴において、特に夏場の高温多湿の季節では、靴内部の足の蒸れによる弊害は深刻なものがある。これらを解決するためには発汗部分の足裏に充分な通気が必要である。【解決手段】靴内部の足の蒸れを防ぐには充分な通気が必要で、外革下部外周に通気孔を設け、通気孔と同高さに通気孔より足裏に空気流通が機能するための、中底敷き皮を敷きこむ。中底敷き皮には上部全体に柱状突起が形成してあり柱状突起間の間隙部分と通気孔の空気が一体となり、スノコ板のように通気が充分に機能する。この機能により足の蒸れを解決できる。通気孔よりの粉塵、水の浸入は通気孔部分に布地、透湿シートを張ることにより粉塵等の浸入を防止する事ができる。【選択図】図２
2012045061.tif 000002
【特許請求の範囲】
【請求項１】
本発明は外革下部外周に足裏、靴内部への通気効果を目的に通気孔を設け、雨水浸入を防止するために通気孔に勾配を取った形状にした物である。通気孔形状においては図１、図３に示し、丸穴、長穴、デザイン化した図形としても良い。外革に勾配のある通気孔を施した夏靴。
【請求項２】
本発明は上記通気孔による通気を足裏、靴内部に流通させることを目的に、通気孔と同高さに敷く中底敷き皮上部全面に柱状突起を形成し、柱状突起間の間隙部分に空気が流れ、通気孔と合致することにより通気が行われる。柱状突起の形状は、図2に示し円柱形や多角形であり足の沈み込まない表面積とする。配列は通気が自在に流れるように整順、ランダム等任意で良い。本発明の中底敷き皮は単品成形であり、靴底に貼り付けても良く、従来敷き皮同様に挿入としても良い。柱状突起のある中底敷き皮により、通気機能を持つ請求項１記載の夏靴。
【請求項３】
本発明は請求項１に記載の通気孔部分に、着色した布地または透湿シートを内外どちらか一方に張ることにより、通気孔より靴内部へ粉塵や水の侵入を防ぐことを目的とした請求項１または請求項２記載の夏靴。
【発明の詳細な説明】
【技術分野】
【０００１】
本発明は、靴外革及び履物の足設置面に通気機能を持たせた仕組みに関する。
【背景技術】
【０００２】
高温多湿の各国では履物が下駄などから足を被覆した靴に変わることにより、蒸れによる悪臭に悩まされている。これを解決するために多数の方が敷き皮の考案や通気、換気靴を考案している。
【０００３】
特許文献１記載の発明は靴底インソール部分に空気通路とスリットを設け通気を行い足の蒸れ等の解消する靴を提供している。
しかし、特許文献１の発明の通気機能を持つ靴は、空気導入通路の構造が複雑であり通路が長く空気導入量は少ないことが予見される。又、インソールに足裏が直接乗ることによりスリットよりの通気が不足し足裏の汗が蒸れてしまう事となる。
【０００４】
特許文献２記載の発明による通気性靴は甲皮及び靴底部分に通気性部材を使用し又、靴底に通気口を設け、足裏面の湿気を外部へ排出する靴を提供している。
しかし、特許文献２の発明の通気性靴は通気性部材に従来の敷き皮として存在するスポンジ状の部材を使用しており、足裏により圧縮され通気機能が損なわれる場合がある。
【先行技術文献】
【特許文献】
【０００５】
【特許文献１】特願２００９−２６８８５７号公報
【特許文献２】特願２００９−３９５１８号公報
【発明の概要】
【発明が解決しようとする課題】
【０００６】
以上に述べた従来課題の通気機能に関する靴において、特に夏場の靴内部、足の蒸れに対し充分な通気が機能する靴がもとめられる。
【課題を解決するための手段】
【０００７】
本発明は、上記目的を達成するために甲革下部外周に実用と衣装を兼ね備えた通気孔を設け、中底敷き皮を通気孔と同高さに敷き込む。中底敷き皮は上部全面に柱状突起を形成しスノコ板のように足を柱状突起表面に浮かせる事により柱状突起間の間隙部分と通気孔部分が一体となりに風が充分に通りぬけ、靴内部の足裏は常に通気面に接する状態になる。靴に加工を施すことは本機能だけでも良い。
【０００８】
上記解決手段により、充分な通気が可能となる靴内部に粉塵や防虫、水の浸入防止を目的に布地又は透湿シートを通気孔部分に貼り付けることにより粉塵等の侵入を防ぐことが出来る。
【発明の効果】
【０００９】
前述のように本発明は、靴本体に通気孔と柱状突起を持つ中底敷き皮の機能により空気が流通し、足裏の蒸れを防止することができる。夏場に履く靴内部の蒸れによる弊害はスノコ板応用の柱状突起により解決することが出来る。及び通気孔部分に布、透湿シートを張ることにより粉塵や水の浸入を防ぐことが出来る。
【図面の簡単な説明】
【００１０】
【図１】本発明の実施形態を示す夏靴の側面図
【図２】正面より見たＡ−Ａ断面図
【図３】図２の円部分の拡大図
【図４】中底敷き皮平面図
【図５】夏靴の平面図
【符号の説明】
【００１１】
１甲革  
２通気孔
３中底敷き皮
４柱状突起
５靴底
６足
７布及び透湿シート
【図１】
2012045061.tif 000003
【図２】
2012045061.tif 000004
【図３】
2012045061.tif 000005
【図４】
2012045061.tif 000006
【図５】
2012045061.tif 000007
(57)【要約】【課題】  従来の衣服用ボタンにおいては、アクセサリー、身分証明書および名札等の物を、簡単にボタンに装着できないのが現状であった。【解決手段】  従来の衣服用ボタンに、ボタン本体１を側面から見た場合、左側部分２、中央部分４、右側部分６等から、それぞれ水平の穴を空け貫通させることで、アクセサリー、身分証明書および名札等の物を簡単に装着できる様にし、ファッション性および機能性を付加する。またより機能性を高める為、当該穴の入り口部分２、３、４、５、６、７は、穴の内部８、９、１０と比べ大きくし物を通し易くし、さらに当該穴の内部８、９、１０に、磁性（鉄製）の物１１、１２、１３を、塗るかまたは貼ることにより、鉄製（磁性）の物を接着可能にする。【選択図】図1
2012045374.tif 000002
【特許請求の範囲】
【請求項１】
衣服用ボタンの側面に、水平に貫通した穴を設けることを特徴とする衣服用ボタン。
【請求項２】
上記穴の入り口部分は、穴の内部と比べ大きくし、物を通し易くすることを特徴とする請求項1記載の衣服用ボタン。
【請求項３】
上記穴の内部に、磁性の物を、塗るかまたは貼ることにより、鉄製等の物を接着可能にすることを特徴とする請求項１記載の衣服用ボタン。
【請求項４】
上記穴の内部に、鉄製等の物を、塗るかまたは貼ることにより、磁性の物を接着可能にすることを特徴とする請求項１記載の衣服用ボタン。
【発明の詳細な説明】
【技術分野】
【０００１】
本発明は、衣服等に装着されて使用される衣服用ボタンに関するものである。
【背景技術】
【０００２】
従来の衣服用ボタンは、ボタン本体の中央部分等に衣服取付け用の穴のみが、垂直に
開いているものである。
【先行技術文献】
【特許文献】
【０００３】
【特許文献１】特開平０７−１８４７０５
【発明の概要】
【発明が解決しようとする課題】
【０００４】
従来の衣服用ボタンにおいては、アクセサリー、身分証明書および名札等の物を、簡単にボタンに装着できないのが現状であった。
【課題を解決するための手段】
【０００５】
本発明は、従来の衣服用ボタンに、ボタン本体を側面から見た場合、左側部分、中央部分、右側部分等から、それぞれ水平の穴を空け貫通させることで、アクセサリー、身分証明書および名札等の物を簡単に装着でき、上記課題を解決する。
またより機能性を高める為、当該穴の入り口部分は、穴の内部と比べ大きくし物を通し易くし、さらに当該穴の内部に、磁性（鉄製）の物を、塗るかまたは貼ることにより、鉄製（磁性）の物を接着可能にする。
【発明の効果】
【０００６】
本発明は、衣服用ボタンに、アクセサリー、身分証明書および名札等の物を簡単に装着でき、加えて本発明の穴にリングを通すことによって、複数の物を装着することも可能となり、衣服用ボタンにファッション性および機能性を付加するものである。
また本発明は、物を直接衣服に装着しないため、衣服を傷めない効果も兼ね備えるものである。
【図面の簡単な説明】
【０００７】
【図１】本発明を適用する衣服用のボタンの構成図である。
【発明を実施するための形態】
【０００８】
以下、本発明の実態の形態を図１に基づいて説明する。
【０００９】
（ａ）は、ボタンを真上から見たものである。真上から見た場合、ボタンの左側部分２、中央部分４、右側部分６に穴を開け、それぞれ３、５、７まで、水平に穴を貫通させる。
【００１０】
穴の入り口２、３、４、５、６、７は、穴の内部と比べ大きくし、物を通し易くする。
【００１１】
穴の内部８、９、１０に、磁性（鉄製）の物１１、１２、１３を、塗るまたは貼ることにより、鉄製（磁性）の物を、接着可能にする。
【００１２】
（ｂ）は、ボタンを側面から見たものである。
【００１３】
（ｃ）は、ボタンを裏面から見たものである。
【符号の説明】
【００１４】
1  衣服用ボタン
２  横穴の入り口
３  横穴の入り口
４  横穴の入り口
５  横穴の入り口
６  横穴の入り口
７  横穴の入り口
８  横穴内部
９  横穴内部
１０  横穴内部
１１  磁性の物（または鉄製の物）
１２  磁性の物（または鉄製の物）
１３  磁性の物（または鉄製の物）
【図１】
2012045374.tif 000003
(57)【要約】【課題】  この発明は、各地域が活用したいと考える地域資源を、地域内外、年齢層の如何を問わず、幅広い人々に伝えるツールを開発することを課題とするものである。【解決手段】  中小企業による地域産業資源を活用した事業活動の促進に関する法律（中小企業地域資源活用促進法）の第３条２項２に則り、各都道府県が認定（リストアップ）した地域資源を中心に、当該地域の人々が活用したいと考える地域資源をデザイン化し、トランプのハート、スペード、ダイヤ、クラブのスート並びにエース、ジャック、クイーン、キング、ジョーカーの絵札に記載する。既にゲームとして定着しているトランプを利用することで、幅広い地域、年齢層に対して、当該地域資源の認知を促進することができる。【選択図】図１
2012045355.tif 000002
【特許請求の範囲】
【請求項１】
番号のカードが４種類各１３枚と、ジョーカーのカードが各２枚の計５４枚のカードに、各地の地域資源をデザイン化した図柄を施したトランプである。
【請求項２】
中小企業による地域産業資源を活用した事業活動の促進に関する法律（中小企業地域資源活用促進法）の第３条２項２に則り、各都道府県が認定（リストアップ）した地域資源を中心に、当該地域の人々が活用したいと考える地域資源をデザイン化し、トランプのハート、スペード、ダイヤ、クラブのスート並びにエース、ジャック、クイーン、キング、ジョーカーの絵札に記載する。
【発明の詳細な説明】
【技術分野】
【０００１】  この発明はトランプのスート並びに絵札の図柄に、各都道府県が活用したいと思う地域資源をデザイン化したものを採用することに関するものである。
【発明の開示】
【発明が解決しようとする課題】
【０００２】  この発明は、各地域が活用したいと考える地域資源を、地域内外、年齢層の如何を問わず、幅広い人々に伝えるツールを開発することを課題とするものである。
【課題を解決するための手段】
【０００３】  中小企業による地域産業資源を活用した事業活動の促進に関する法律（中小企業地域資源活用促進法）の第３条２項２に則り、各都道府県が認定（リストアップ）した地域資源を中心に、当該地域の人々が活用したいと考える地域資源をデザイン化し、トランプのハート、スペード、ダイヤ、クラブのスート並びにエース、ジャック、クイーン、キング、ジョーカーの絵札に記載する。
【発明の効果】
【０００４】  既にゲームとして定着しているトランプを利用することで、幅広い地域、年齢層に対して、当該地域資源の認知を促進することができる。
【発明を実施するための最良の効果】
【０００５】  トランプのハート、スペード、ダイヤ、クラブのスート並びにエース、ジャック、クイーン、キング、ジョーカーの絵札に、当該地域の資源をデザイン化したものを採用することで、地域資源を効果的に訴求できる。
【図面の簡単な説明】
【０００６】
【図１】  本発明カード１枚の説明図である。（沖縄県の場合）
【図２】  本発明の１〜４のカードの一覧を示した説明図である。（沖縄県の場合）
【図３】  本発明の５〜８のカードの一覧を示した説明図である。（沖縄県の場合）
【図４】  本発明の９〜１２のカードの一覧を示した説明図である。（沖縄県の場合）
【図５】  本発明の１３とジョーカーのカードの一覧を示した説明図である。（沖縄県の場合）
【図６】  本発明の裏面を示した説明図である。（沖縄県の場合）
【符号の説明】
【０００７】  １デザイン化した地域資源をスートに採用した例（沖縄県の場合）
２デザイン化した地域資源を絵柄に採用した例（沖縄県の場合）
【図１】
2012045355.tif 000003
【図２】
2012045355.tif 000004
【図３】
2012045355.tif 000005
【図４】
2012045355.tif 000006
【図５】
2012045355.tif 000007
【図６】
2012045355.tif 000008
(57)【要約】【課題】指に発汗のない老人でも軽い握力で素早く引き出せてペーパーホルダーにセット出来るトイレットロールペーパー底部引出しケースを提供する。【解決手段】トイレットロールペーパーの入る縦長の半透明の中空のケースを設け、上部に聞く蓋を設け、下部にロールペーパーを撮んで手前に真っ直ぐに引き出す穴を設け、底に飛び出し防止の凸起を設け、ケースの裏に吸盤や強力接着剤付き面ファスナーや強力な磁石で壁に固定したり、台の上に固定することを特徴とするトイレットロールペーパーの底部引き出しケース。【選択図】図１
2012045357.tif 000002
【特許請求の範囲】
【請求項１】
トイレットロールペーパーの入る縦長の半透明の中空のケースを設け、上部に開く蓋を設け、下部にロールペーパーを撮んで手前に真っ直ぐに引き出す穴を設け、底に飛び出し防止の凸起を設け、ケースの裏に吸盤や強力接着剤付き面ファスナーや強力な磁石で壁に固定したり台の上に固定することを特徴とするトイレットロールペーパー底部引出しケース。
【発明の詳細な説明】
【技術分野】
【０００１】  本発明は、トイレットロールペーパーを底部より引出すケースに関するものである。
【背景技術】
【０００２】  従来、縦長のケースの蓋を開いて摘んで上へ引き上げたり、引き起したりするのはあった。
【先行技術文献】
【０００３】
【特許文献１】
【特許文献２】
【発明の概要】
【発明が解決しようとする課題】
【０００４】  そのため、次のような問題点があった。
（イ）手前に半分開く蓋を開けて摘み上げるのだが落すことがあった。
（ロ）断面の円い棒で飛び出し防止があるので年寄は、指の発汗がないので滑って取り出しにくいしもどかしさがあった
本発明は、これらの問題点を解決するためになされたものである。
【課題を解決するための手段】
【０００５】  トイレットロールペーパーが入る縦長の半透明な中空ケースを設け、上部に開く蓋を設け、下部にロールペーパーを撮んで手前に真っ直ぐに引き出す穴を設け、底に飛び出し防止の凸起を設け、ケースの裏に吸盤や、強力接着剤付き面ファスナーや強力な磁石で壁に固定したり、台の上に固定する。
以上を特徴とするトイレットロールペーパー底部引出しケースである。
【発明の効果】
【０００６】  軽い握力で素早く手前に引出してロールホルダーにセット出来るのでもどかしさがない。
【図面の簡単な説明】
【０００７】
【図１】ケース横断面図
【図２】ケース正面断面図
【図３】ケース使用図
【発明を実施するための形態】
【０００８】  以下、本発明の実施の形態について説明する。
（イ）トイレットロールペーパー（１）が入る縦長の半透明の中空ケース（２）を設け、上部に開く蓋（３）を設ける。
（ロ）下部にロールペーパー（１）を撮んで真っ直ぐに引き出す穴（４）を設け底に飛び出し防止の凸起（５）を設ける。
（ハ）ケース（２）の裏に吸盤や強力な接着剤付き面ファスナーや強力な磁石（６）で壁に設置したり台の上に固定する。
（ニ）不透明なケース（２）の中央にロールペーパー（１）の残量が確認できる縦長の穴（７）を設ける。
本発明は以上のような構成でこれを使用するときは、縦長の半透明な中空ケース（２）の裏面に吸盤や強力な接着剤付き面ファスナーや強力な磁石（６）で壁に設置したり台の上に固定する。上蓋（３）を開けてロールペーパー（１）を継ぎ継ぎと入れて一杯になったら蓋（３）を閉めて、下部の穴（４）からロールペーパー（１）を撮んで手前に真っ直ぐに引き出すと後続のロールペーパー（１）は自然落下するし飛び出し防止の凸起（５）が設けてあるので飛び出すことはない。しかもケース（２）が不透明な場合は、ケース（２）の中央に縦長の穴（７）を設ければ、ロールペーパー（１）の残量が確認出来るし、ケース（２）に色々のペイントをすればトイレも憩いの場になる。
【符号の説明】
【０００９】１  トイレットロールペーパー
２  中空ケース
３  蓋
４  ロールペーパー引き出し穴
５  飛び出し防止凸起
６  吸盤や強力な接着剤付き面ファスナーや強力磁石
７  縦長の穴
【図１】
2012045357.tif 000003
【図２】
2012045357.tif 000004
【図３】
2012045357.tif 000005
(57)【要約】【課題】市販のマッチ箱に被せて使用する、美しくきれいで、和むような絵等を描いたり、和紙やビーズ等を貼ったりできるものが無かった。  本発明は、マッチ箱に被せて使うケースを提供する。【解決手段】柔らかく弾力性のあるソフト樹脂素材を、一方を開けたコノ字形のケース状にし、内側に、弾力と滑り止め効果のあるスポンジ状の素材を張り付け、背の部分はケースを開き易くするため、縦割りに半分にカットし、少し隙間を空けて、本体と同じ素材の板状の接続具で接続し、留め具で固定した、簡単にマッチ箱に被せて使用できることを特徴とするマッチ箱ケース。【選択図】図１
2012045342.tif 000002
【特許請求の範囲】
【請求項１】
柔らかく弾力性のあるソフト樹脂素材を、内側にスポンジ状の弾力と滑り止め効果のある素材を張り付けて、コノ字形のケース状にし、背の部分を縦割りに半分にし、隙間を空けた状態で、本体のケースと同じ素材の板状の接続具で接続し、さらに、留め具で固定したマッチ箱ケース。
【発明の詳細な説明】
【技術分野】
【０００１】  本発明は、市販のマッチ箱に被せて使用する、コノ字形のはめ込み型マッチ箱ケースに関するものである。
【背景技術】
【０００２】  従来、マッチ箱は日常生活に於いて、使用頻度が高くなく、市場に出回っている絵柄の種類が限られているため、好みの絵柄を選ぶ等の選択の楽しみが無かった。主に仏壇用に買い求めるのであるが、せめて、美しく、和むような、仏壇に置いても違和感のない、飾りになるような、きれいなケースが欲しいと思った。
【先行技術文献】
【０００３】
【特許文献１】
【発明の概要】
【発明が解決しようとする課題】
【０００４】  美しくきれいで、インテリアにもなる、市販のマッチ箱に被せて使うためのマッチ箱ケースが無かった。
本発明は、以上の問題点を解決するためになされたものである。
【課題を解決するための手段】
【０００５】  柔らかく弾力性のあるソフト樹脂素材を、一方を開けたコノ字形にし、内側に弾力と滑り止め効果のあるスポンジ状素材を張り付け、市販のマッチ箱を挟むように被せることができるケース状の容器にする。
閉じてある背中部分は、被せ易くするために、縦割りに半分にし、少し隙間を空けて、本体と同じ素材の板状の接続具で繋ぎ、留め具で固定する。
以上の構成よりなるマッチ箱ケースである。
【発明の効果】
【０００６】  従来、マッチ箱は何の加工も出来ず、そのまま、使用していたが、本発明を使用することで、美しくきれいな絵を描いたり、和紙やビーズ等を貼り付けて、楽しく使用でき、仏壇に置いても和むような飾りとなる。
【図面の簡単な説明】
【０００７】
【図１】本発明の斜視図
【図２】本発明の使用状態を示す斜視図
【図３】本発明の接続状態を示す断面図
【発明を実施するための形態】
【０００８】以下、本発明の形態を説明する。
（イ）柔らかく弾力性のあるソフト樹脂素材を、一方を開けたコノ字形のケース状（１）にし、ケース（１）の内側に、弾力と滑り止め効果のあるスポンジ状素材を張り付け、開いていない背の部分を均等の半分の位置で縦割りにカットし、少し隙間を空けた状態で、ケース本体と同じ素材の板状の接続具（２）で接続し、さらに、留め具（４）で固定する。
本発明は以上のような構造である。
本発明を使用するときは、コノ字形のケースの羽に当たる部分を少し広げ、接続されている背の部分が湾曲し、開いた状態になった時、マッチ箱の擦る面を外側に向けて、挟み入れるように、ケースに挿入し、マッチ箱にケースが被さった状態にし、マッチ箱の中の軸が取り出せるようにセットする。
又、ケースの羽の部分にきれいな絵を描いたり、和紙を貼ったりして仏壇用に使用しても、違和感なく和む雰囲気になる。又、ビーズ等を貼ってデコレーションもでき、部屋のアクセサリーにもなる。
【符号の説明】
【０００９】  １ケース
２接続具
３マッチ箱
４留め具
【図１】
2012045342.tif 000003
【図２】
2012045342.tif 000004
【図３】
2012045342.tif 000005